(57)【要約】【課題】光照射部を一体に備えながらも、展示品を周囲側方３６０°及び上方の全天から鑑賞することが可能で、なおかつ展示品に全方向から光を照射してライトアップすることができる光照射部付展示ケースを提供する。【解決手段】展示品を設置するための基台３と、その基台３の周縁部から上方を覆うように設けられ、当該基台３との間で展示品収容空間２を形成する透明壁４と、前記基台３に設けられ、前記透明壁４に向かって内側から光を照射する光照射部５と、前記透明壁４の内面４ａに設けられ、前記光照射部５からの光を展示品収容空間２内に反射する互いに隙間を有して配置した多数の微細な反射部６とを備えるようにした。【選択図】図１
2006167439.tif 000002
【特許請求の範囲】
【請求項１】
展示品を設置するための基台と、
その基台の周縁部から上方を覆うように設けられ、当該基台との間で展示品収容空間を形成する透明壁と、
前記基台に設けられ、前記透明壁に向かって内側から光を照射する光照射部と、
前記透明壁の内部、外面又は内面に設けられ、前記光照射部からの光を展示品収容空間内に反射する互いに隙間を有して配置した多数の微細な反射部とを備えていることを特徴とする展示ケース。
【請求項２】
展示品を設置するための基台と、
その基台の周縁部から上方を覆うように設けられ、当該基台との間で展示品収容空間を形成する透明壁と、
前記基台に設けられ、前記透明壁に向かって内側から光を照射する光照射部と、
前記透明壁の内部、外面又は内面に設けられ、前記光照射部からの光を展示品収容空間内に反射する網状に形成した反射部とを備えていることを特徴とする展示ケース。
【請求項３】
前記反射部が、展示品収容空間側に露出させた一方の面を反射面とする反射層と、その反射層の他方の面側に形成した光遮断吸収層とを備えたものである請求項１又は２記載の展示ケース。
【請求項４】
前記光遮断吸収層が、反射層よりも若干大きな面積を有するものである請求項３記載の展示ケース。
【請求項５】
前記反射層が透明壁の内面に設けられ、前記光遮断吸収層が透明壁の外面であって前記反射層に対応する位置に設けられている請求項３又は４記載の展示ケース。
【請求項６】
前記反射部に設定された反射面を、光の拡散作用を増加させる透明膜で覆うように構成している請求項１乃至５いずれかに記載の展示ケース。
【請求項７】
前記光照射部を、基台における透明壁の内側近傍に周回させて設置している請求項１乃至６いずれかに記載の展示ケース。
【請求項８】
展示品を設置するための基台と、
その基台の周縁部から上方を覆うように設けられ、当該基台との間で展示品収容空間を形成する透明壁と、
前記透明壁の基端部に配置され、又は前記透明壁の基端部に臨んで配置され、当該透明壁の内部に光を照射する光照射部と、
前記透明壁の外面に設けられ、当該透明壁の内部を進行してくる光を展示品収容空間内に反射する互いに隙間を有して配置した多数の微細な反射部とを備えていることを特徴とする展示ケース。
【請求項９】
展示品を設置するための基台と、
その基台の周縁部から上方を覆うように設けられ、当該基台との間で展示品収容空間を形成する透明壁と、
前記透明壁の基端部に配置され、又は前記透明壁の基端部に臨んで配置され、当該透明壁の内部に光を照射する光照射部と、
前記透明壁の外面に設けられ、当該透明壁の内部を進行してくる光を展示品収容空間内に反射する網状に形成した反射部とを備えていることを特徴とする展示ケース。
【請求項１０】
展示品を設置するための基台と、
その基台の周縁部から上方を覆うように設けられ、当該基台との間で展示品収容空間を形成する透明壁と、
前記透明壁の基端部に配置され、又は前記透明壁の基端部に臨んで配置され、当該透明壁の内部に光を照射する光照射部と、
前記透明壁内に設けられ、その内部を進行してくる光を展示品収容空間内に反射する反射部とを備えていることを特徴とする展示ケース。
【請求項１１】
展示品を設置するための基台と、
その基台の周縁部から上方を覆うように設けた透明壁と、
透明壁の内部、外面又は内面に配置した光ファイバと、
その光ファイバの端面に臨んで配置され、当該光ファイバ内に光を導入する光照射部とを備えてなり、
前記光ファイバの側周面に展示品を向く切欠部を設け、その切欠部から漏れ出る光が展示品に照射されるように構成していることを特徴とする展示ケース。
【請求項１２】
前記基台と透明壁によって囲まれる展示品収容空間内の温度を調節する温度調節機構をさらに備えたものとするとともに、前記基台を植物を展示品とするための植物載置台を有するものとして、植物の育成を可能に構成している請求項１乃至１１いずれかに記載の展示ケース。
【請求項１３】
前記透明壁が、外壁とその外壁の内側に離間させて設けた内壁とからなる２重構造をなし、その外壁と内壁とから形成される空間内に断熱層を有することを特徴とする請求項１乃至１２いずれかに記載の展示ケース。
【請求項１４】
前記光照射部から射出される光の光量又は色の少なくとも一方を制御する光制御回路をさらに備えている請求項１乃至１３いずれかに記載の展示ケース。
【請求項１５】
前記光制御回路が、波や風の音、鳥のさえずり、木漏れ日、波のきらめきなど、自然界で自然に発生し人間が５感で感じることのできる揺らぎを電気的な信号である揺らぎ信号に変換する揺らぎ信号変換回路と、その揺らぎ信号の示す揺らぎに合わせて前記ＬＥＤから発される光の光量又は色の少なくとも１つが変化するように発光パターンを制御するパターン制御回路とを備えているものである請求項１４記載の展示ケース。
【請求項１６】
前記光制御回路が、音楽やお経などの音声を示す音声信号を受け付ける音声信号受付回路と、その音声信号の示す音声の音量、音色、音程の少なくとも一つに合わせて前記ＬＥＤから発される光の光量又は色の少なくとも１つが変化するように発光パターンを制御するパターン制御回路とを備えているものである請求項１５記載の展示ケース。
【請求項１７】
前記透明壁が概略半球状をなすものである請求項１乃至１６いずれかに記載の展示ケース。
【請求項１８】
前記透明壁に着脱可能に取手を設けている請求項１乃至１７いずれかに記載の展示ケース。
【請求項１９】
前記光照射部がＬＥＤを光源とするものである請求項１乃至１８いずれかに記載の展示ケース。
【請求項２０】
前記展示品収容空間内に風を生じさせるファンをさらに備えている請求項１乃至１９いずれかに記載の展示ケース。
【請求項２１】
展示品を設置するための基台と、
その基台の周縁部から上方を覆うように設けられ、当該基台との間で展示品収容空間を形成する透明壁と、
透明壁の内部、外面又は内面に支持されている微細ＥＬ素子とを備えてなり、
その微細ＥＬ素子が、展示品収容空間側に配置した透明電極層と、反展示品収容空間側に配置した非透明電極層と、それら電極間に配置され、電圧付与によって発光する発光層とを備え、互いの間に隙間を設けて多数並んでいることを特徴とする展示ケース。
【請求項２２】
前記ＥＬ素子が有機ＥＬ素子である請求項２１記載の展示ケース。
【請求項２３】
前記非透明電極層の発光層側の面が光反射面であり、その反対側の面が光を遮蔽又は吸収する光遮蔽面である請求項２１又は２２記載の展示ケース。
【請求項２４】
展示品を設置するための基台と、
その基台の周縁部から上方を覆うように設けられ、当該基台との間で展示品収容空間を形成する透明壁と、
透明壁の内部、外面又は内面に支持されている微細ＥＬ素子とを備えてなり、
その微細ＥＬ素子が、展示品収容空間側に配置した透明電極層と、反展示品収容空間側に配置した非透明電極層と、それら電極間に配置され、電圧付与によって発光する発光層とを備えたものであり、
隣り合うＥＬ素子の電極層同士が接続されて、ＥＬ素子全体としての電極層が網状をなすように構成されていることを特徴とする展示ケース。
【発明の詳細な説明】
【技術分野】
【０００１】
本発明は、展示品をライトアップしながら収容できる展示ケースに関し、特に植物の展示に好適に用いることのできる展示ケースに関するものである。
【背景技術】
【０００２】
照明用光源を一体に備えた従来のこの種の展示ケースは、展示品収容空間の周囲側方を透明ガラスなどの透明壁で囲って展示台上の展示品を外部から観賞できるようにしている。そして特許文献１に示すように、照明用光源は展示ケースの天井に配設され、上方から展示品を照明するのが一般的である（特許文献１）。またこのように照明用光源を展示品収容空間の上方に配置すると、電源ケーブルを引き出す必要が生じたり、展示ケースの上部が照明用光源で厚くなったりして見苦しいことから、近年では、光源を展示台の下方に配置し、展示ケースの天井に鏡を配置して鏡からの反射で展示品を照明する例（特許文献２）も提案されている。
【特許文献１】特開昭６３−１２２４０９号公報
【特許文献２】特開平１１−２８５４３１号公報
【発明の開示】
【発明が解決しようとする課題】
【０００３】
ところが、前述した従来のものは、照明用光源や鏡によって展示ケースの上方が閉塞され、周囲側方３６０°から展示品を鑑賞できるものの、上方からは展示品を見ることができない。特に植物のように、通常低い位置において上方から鑑賞するものでは、このような従来の展示ケースでは、鑑賞価値を損なうことにもなる。
【０００４】
かといって、上方からの視認性を向上させるべく、側方に照明用光源を配置したのでは、前記照明用光源が側方からの展示品の鑑賞の邪魔になり、やはり好ましいものではない。また、下方からだけの照明ではライトアップが不自然になる。
【０００５】
そこで本発明は、光照射部を一体に備えながらも、展示品を周囲側方３６０°及び上方の全天から鑑賞することが可能で、なおかつ展示品に全方向から光を照射してライトアップすることができる光照射部付展示ケースを提供し、従来の問題点を一挙に解決することをその主たる所期課題としたものである。
【課題を解決するための手段】
【０００６】
すなわち、本発明にかかる展示ケースは、展示品を設置するための基台と、その基台の周縁部から上方を覆うように設けられ、当該基台との間で展示品収容空間を形成する透明壁と、前記基台に設けられ、前記透明壁に向かって内側から光を照射する光照射部と、前記透明壁の内部、外面又は内面に設けられ、前記光照射部からの光を展示品収容空間内に反射する互いに隙間を有して配置した多数の微細な反射部とを備えていることを特徴とする。
【０００７】
この場合、反射部は、前記光照射部からの光を展示品収容空間内に反射する網状に形成したものであってもよい。
【０００８】
このようなものであれば、光照射部から出た光を、透明壁に設けられた反射部で１乃至複数回反射させて様々な方向から展示品に到達させることができるため、展示品を周囲からライトアップすることが可能である。しかも反射部は微細でなおかつ互いに隙間を有して配置してあるか、または微細な目の網状に形成してあるため、いわば非常に細い金網越しに展示品を見るのと同じことで、それら反射部が展示品の外部からの視認性を阻害することがない。すなわち、全方向から美しくライトアップされた展示品を、周囲３６０°及び上方の全天から鑑賞することが可能になる。
【０００９】
また、基台の上方には透明壁のみが載置されているため、外観がシンプルで展示品のイメージを損なうこともない。さらに、周囲から展示品に光が照射されているにも拘わらず、一見してはその光源がわからないため、観者に不思議で幻想的な感覚を与えることができる。なお、ここで「反射」とは乱反射（散乱）も含む意味である。
【００１０】
反射層と光遮断吸収層とは、それぞれ別にプリント等によって形成することが考えられるが、その際の位置ずれを考慮すれば、前記光遮断吸収層が、反射層よりも若干大きな面積を有するものであることが望ましい。
【００１１】
また、反射層と光遮断吸収層とは、密接している必要は無く、厚み方向に離間して設けられていてもよい。その例としては、前記反射層が透明壁の内面に設けられ、前記光遮断吸収層が透明壁の外面であって前記反射層に対応する位置に設けられているものを挙げることができる。
【００１２】
反射部における展示収容空間と反対側の面（外側の面）が、光を反射すると反射部がきらきら光ったり、あるいは反射部が内側からの光を透過拡散するようなものであると当該反射部が白っぽく見えたりして鑑賞の邪魔になり得る。これを好適に防止し、例えば夜に網戸越しに明るい部屋の中をきれいに見ることができるのと同様の効果を得るようにするためには、前記反射部が、展示品収容空間側に露出させた一方の面を反射面とする反射層と、その反射層の他方の面側に形成した光を遮断又は／及び吸収する光遮断吸収層とを備えたものであることが好ましい。
【００１３】
前記反射部で光が反射する際の拡散作用を強めるには、前記反射部を覆って光の拡散作用を増加させる透明膜をさらに備えているものが好ましい。このようなものであれば、この透明膜に光が入射する際に屈折し、透明膜が無いものと比べて反射部の表面に対してより垂直に近い角度で光があたって反射するため、その際の拡散作用が増大することになる。またこの透明膜は反射部の保護作用をも営むものとなる。
【００１４】
具体的な光照射部の設置態様としては、前記光照射部を、基台における透明壁の内側近傍に周回させて設置しているものを挙げることができる。
【００１５】
また、本発明に係る展示ケースは、展示品を設置するための基台と、その基台の周縁部から上方を覆うように設けられ、当該基台との間で展示品収容空間を形成する透明壁と、前記透明壁の基端部に配置され、又は前記透明壁の基端部に臨んで配置され、当該透明壁の内部に光を照射する光照射部と、前記透明壁の外面に設けられ、その内部を進行してくる光を展示品収容空間内に反射する互いに隙間を有して配置した多数の微細な反射部とを備えた構成でも構わない。
【００１６】
この場合の反射部は前述したものと同様な構成であればよい。
【００１７】
さらに、本発明に係る展示ケースは、展示品を設置するための基台と、その基台の周縁部から上方を覆うように設けられ、当該基台との間で展示品収容空間を形成する透明壁と、前記透明壁の基端部に配置され、又は前記透明壁の基端部に臨んで配置され、当該透明壁の内部に光を照射する光照射部と、前記透明壁内に設けられ、その内部を進行してくる光を展示品収容空間内に反射する反射部とを備えた構成でも構わない。
【００１８】
この場合の反射部は、例えば透明壁の内部に厚み方向に亘って設けられた水平に周回する細い帯状の反射板などが考えられるが、このように反射部を非常に細いものにできるため、展示品の視認性を阻害することなく、前記同様の作用効果を奏し得る。
【００１９】
さらに、本発明に係る展示ケースは、展示品を設置するための基台と、その基台の周縁部から上方を覆うように設けた透明壁と、透明壁の内部又は表面に配置した光ファイバと、その光ファイバの端面に臨んで配置され、当該光ファイバ内に光を導入する光照射部とを備えてなり、前記光ファイバの側周面に展示品を向く切欠部を設け、その切欠部から漏れ出る光が展示品に照射されるように構成しているものでもよい。
【００２０】
光ファイバは細くしかも透明であるため、このような構成でもやはり展示品の視認性を阻害することなく、前記同様の作用効果を奏し得る。
【００２１】
本展示ケースは、以下のような構成にすることにより、植物の育成装置としても用いることができる。すなわち、前記基台と透明壁によって囲まれる展示品収容空間内の温度を調節する温度調節機構をさらに設け、前記基台に植物を展示品とするための植物載置台を設けた構成である。
【００２２】
このようにすれば、光の照射や温度の管理によって季節等に関係なく屋内で植物を育成できるため、例えばレストランやホテルのロビーに植物を収容した本展示ケースを置くなどして、従来にない全く新しいインテリアを創出するといった新しい用途が大きく広がる。
【００２３】
展示品収容空間内の断熱性を高めるためには透明壁を外壁と内壁とからなる２重構造とし、その外壁と内壁の間の空間内に断熱層を有することが好ましい。このようにすれば、展示品収容空間内の温度が、展示ケースの外側の空気の温度に影響されにくくなるので、温度の調節を容易にすることができるうえ、結露が生じにくくなるため、結露により内部が見づらくなるといった不具合も防止できる。
【００２４】
ライトアップのバリエーションを増やしたり、最適な植物育成をしたりするためには、前記光照射部から射出される光の光量又は色の少なくとも一方を制御する光制御回路をさらに備えているものが好ましい。
【００２５】
また、光を揺らがせるようにすれば、木漏れ日をイメージさせるような独特の景観を観者に印象づけることが可能になる。光の揺らがせ方には種々の方法が考えられるが、一定パターンの繰り返しではなく、ランダムでありながら自然のイメージを出すものが好ましい。そのための態様としては、前記光制御回路が、波や風の音、鳥のさえずり、木漏れ日、波のきらめきなど、自然界に存在し人間が５感で感じることのできる揺らぎを電気的な信号である揺らぎ信号に変換する揺らぎ信号変換回路と、その揺らぎ信号の示す揺らぎに合わせて前記ＬＥＤから発される光の光量又は色の少なくとも１つが変化するように発光パターンを制御するパターン制御回路とを備えているものを挙げることができる。
【００２６】
また自然界で自然に発生するもののみならず、音楽やお経に合わせて光を変化させてもよい。具体的には、前記光制御回路が、音楽やお経などの音声を示す音声信号を受け付ける音声信号受付回路と、その音声信号の示す音声の音量、音色、音程の少なくとも一つに合わせて前記ＬＥＤから発される光の発光パターンを制御するパターン制御回路とを備えているものを挙げることができる。
【００２７】
そしてこのようなものであれば、植物育成の促進や、観者へのリラクゼーション効果を得ることも可能になる。
【００２８】
外観的に好ましい具体的な実施態様としては、前記透明壁を概略半球状をなすようにしたものを挙げることができる。さらにこのようなものであれば、前述のように光照射部を透明壁の内側に配置した場合に、反射部に到達する光がＬＥＤからの直接光だけでなく、透明壁の内側で１乃至複数回全反射された光を含むこととなり、反射部での反射の機会が増えてより効率的な照明が可能になる。
【００２９】
透明壁の取り外しの利便性や持ち運びのことを考えれば、前記透明壁に着脱可能に取手を設けているものが望ましい。
【００３０】
特に植物育成に用いる場合、光照射部からの放熱量は、温度管理が煩雑になるため、できるだけ低くする必要がある。その他、寿命や色のバリエーション、効率等を考慮すれば、光照射部にＬＥＤを用いたものが好ましい。また、ＬＥＤは比較的指向性の狭いものを用いることによって、観者からＬＥＤの直接の光が見えにくくでき、照明の効果をより増すことができる。
【００３１】
また、本発明に係る展示ケースは、展示品を設置するための基台と、その基台の周縁部から上方を覆うように設けられ、当該基台との間で展示品収容空間を形成する透明壁と、透明壁の内部、外面又は内面に支持されている微細ＥＬ素子とを備えてなり、その微細ＥＬ素子が、展示品収容空間側に配置した透明電極層と、反展示品収容空間側に配置した非透明電極層と、それら電極間に配置され、電圧付与によって発光する発光層とを備え、互いの間に隙間を設けて多数並んでいることを特徴とするものでも構わない。
【００３２】
このようなものであれば、ＥＬ素子の配設密度を均等にすることが可能であり、各ＥＬ素子が自発的に発光するため、前記同様展示品に全方向から均一な光を照射することができる。さらに、光照射部と反射部とが一体化しているため、光照射部を基台に、反射部を透明壁に設けた前述の場合のような、透明壁の周囲から光が入って来る関係上、反射部を等密度で配置すると、透明壁の周辺部に配置された反射部で反射する光が強くなる一方で、透明壁中央部での反射光が弱くなる、という照度ムラの問題も起こらない。しかもＥＬ素子の配設密度が均等であれば、前記同様非常に細かい金網越しに展示品を見るように、展示品の視認性を阻害することもない。
【００３３】
ここでＥＬとは、Electro Luminescence の略である。発光層はＰＮ半導体を層構造にしたものでもよいし、後述する有機ＥＬ素子の場合のように有機高分子や低分子で構成しても構わない。
【００３４】
微細化が可能で、モアレの抑制にも寄与できるＥＬ素子としては、有機ＥＬ素子を挙げることができる。
【００３５】
発光層からの光を効率よく展示品に照射するとともに、ＥＬ素子の反展示品収容空間側の面での光反射を抑制するには、前記非透明電極層の発光層側の面が光反射面であり、その反対側の面が光を遮蔽又は吸収する光遮蔽面であるものが望ましい。
【００３６】
さらに、本発明に係る展示ケースは、展示品を設置するための基台と、その基台の周縁部から上方を覆うように設けられ、当該基台との間で展示品収容空間を形成する透明壁と、透明壁の内部、外面又は内面に支持されている微細ＥＬ素子とを備えてなり、その微細ＥＬ素子が、展示品収容空間側に配置した透明電極層と、反展示品収容空間側に配置した非透明電極層と、それら電極間に配置され、電圧付与によって発光する発光層とを備えたものであり、隣り合うＥＬ素子の電極層同士が接続されて、ＥＬ素子全体としての電極層が網状をなすように構成されていることを特徴とするものでもよい。このようなものであれば、各ＥＬ素子への電力供給を無理なく行うことができる。
【発明の効果】
【００３７】
このように、本発明によれば、光照射部を一体に備えながらも展示品を周囲側方３６０°及び上方の全天から鑑賞することが可能で、なおかつ展示品に全方向から光を照射してライトアップすることができる。また、展示ケースそのものの外観も従来に比べ向上させることができるうえ、植物育成用に用いるなどして全く新たなインテリアを創出するといったことも可能になる。
【発明を実施するための最良の形態】
【００３８】
＜第１実施形態＞
【００３９】
以下に本発明の第１実施形態について図面を参照して説明する。
【００４０】
本実施形態に係る展示ケースは、図１〜図２に示すように、展示品である植物１を設置するための基台３と、その基台３の周縁部から上方を覆うように設けられ、当該基台３との間で展示品収容空間２を形成する透明壁４と、前記基台３に設けられ、前記透明壁４に向かって内側から光を照射する光照射部５と、前記透明壁４の内面４ａに設けられ、前記光照射部５からの光を展示品収容空間２内に反射する互いに隙間を有して配置した多数の微細な反射部６（図７参照。）とを備えている。なお以下で記載される上下は、図面からみた便宜的な方向であり、この光照射部５の絶対的な設置方向を定めるものではない。
【００４１】
各部を詳述する。
【００４２】
基台３は、円盤状をなすもので、底壁３１ａ、側周壁３１ｂ及び側周壁３１ｂの上端から内方に一体にせり出させた鍔状の支持壁３１ｃからなる上方に開口する壁部３１と、その壁部３１の開口部分に嵌め込むようにして取り付けられた植物載置台３２とを備え、前記壁部３１及び植物載置台３２によって囲まれる内部には機器収容室３３を形成している。
【００４３】
壁部３１を形成する各壁３１ａ、３１ｂ、３１ｃは二層構造をなし、例えばアルミニウム等の金属製の熱伝導性に富む表層３１１と断熱部材で形成された裏層３１２とからなる。特に側周壁３１ｂの表層３１１外面には周方向に延びる溝を複数設けて放熱フィン３１３を形成している。
【００４４】
植物載置台３２は、上方に開口する薄い円盤状のもので、内部に土やスポンジ等を入れてそこに植物１を植え込むことができるようにしてある。
【００４５】
機器収容室３３には、温度調節機構９、湿度調節機構１０、給水機構１５、ファン１４及びこれらを制御する制御機構１６を収容している。
【００４６】
温度調節機構９は、ペルチェ素子を有するペルチェ部９１と、そのペルチェ部に取り付けた熱伝導フィン９２とを備えたもので、前記ペルチェ素子に与える電流量とその向きを制御し、熱伝導フィン９２から放熱又は吸熱させることにより内部温度を調節できる。この実施形態では、熱伝導フィン９２を機器収容室３３内に位置させ、ペルチェ部９１は、機器収容室３３及び断熱材３１２に貫通孔３４を設けて前記壁部３１（より具体的には底壁３１ａ）に接触させている。
【００４７】
湿度調節機構１０は、加湿器１０１及び除湿器１０２からなるものである。加湿器１０１は、超音波振動や沸騰等を利用して水蒸気を発するものである。除湿器１０２は、ペルチェ素子を利用したもので、２段のペルチェ素子を有するペルチェ部１０２ａと、そのペルチェ部１０２ａに取り付けた結露部１０２ｂと、ドレイン１０２ｃとを備えている。そして、前記ペルチェ素子に与える電流量とその向きを制御し、前記結露部１０２ｂを冷却することで結露を生じさせ、除湿する。結露した水はドレイン１０２ｃにより外部に放出する。この実施形態では、結露部１０２ｂを基台３内に位置させ、ペルチェ部１０２ａは、機器収容室３３及び断熱材３１２に貫通孔３５を設けて前記壁部３１（より具体的には底壁３１ａ）に接触させている。
【００４８】
給水機構１５は、タンク１５ａ、ポンプ１５ｂ及びノズル１５ｃからなるもので、タンク１５ａ内の水をポンプ１５ｂで給水し、ノズル１５ｃから吹き出させるように構成してある。タンク１５ａは外部に露出させた取手１５ｄを有するもので、その取手１５ｄによりタンク１５ａを取り外しでき水を補充できるようにしてある。ポンプ１５ｂは、制御部１６からの駆動信号によりＯＮ／ＯＦＦされるものである。ノズル１５ｃは、植物載置台３２の底板３２ａを貫通して当該植物載置台３２の上方に突出するように構成してあり、ポンプ１５ｂからくみ出された水を植物載置台３２上に撒散するものである。
【００４９】
ファン１４は、展示品収容空間２と機器収容空間３３との空気を循環させるために、機器収容空間３３と展示品収容空間２との間に設けられた空気連結孔Ａ１から空気を送り出すためにものである。これにより、展示されている植物１を風によって揺らがせることも出来る。
【００５０】
制御機構１６は、図３、図４に模式的に示すように、ＣＰＵ１６Ａ、メモリ１６Ｂ、入出力インタフェース回路１６Ｃ、増幅回路１６Ｄ、表示器１６Ｅ、入力手段１６Ｆ等を備えたコンピュータであり、前記メモリ１６Ｂに記憶させた所定のプログラムに基づいて各部が協働することにより、温度制御回路１６１、湿度制御回路１６２、給水制御回路１６３、光制御回路１６４、ファン制御回路１６５等としての機能を発揮する。これら各制御回路１６１、１６２、１６３、１６４、１６５は、プログラマブルなロジック回路とそれに対応する入出力インタフェースや増幅回路等を有したものであると言い換えることができ、別に設けた図示しない種々のセンサからの検出信号等に基づいて所定の駆動制御信号を出力し、前記温度調節機構９、湿度調節機構１０、給水機構１５、ファン１４及び後述する光照射部５等を制御する。
【００５１】
また制御機構１６は、図５に示されるように、操作部１６Ｇ１と表示部１６Ｇ２とＵＳＢ等の接続コネクタ１６Ｇ３等とを有するパネル面１６Ｇを有している。このパネル面１６Ｇの操作部１６Ｇ１によって展示品収容空間２内の温度、風向き及び風量を調節することができる。また、ＵＳＢ等の接続コネクタ１６Ｇ３により他の情報処理装置からデータを取り込むことができる。
【００５２】
透明壁４は、図１、図２に示すように下方に開口する例えばアクリル製の半球状をなすもので、外壁４１及びこの外壁４１の内側に離間させて設けた内壁４２とからなる２重構造をなす。この外壁４１と内壁４２とからなる空間４ｄ内には空気を充填しているが、もちろん熱伝導率の小さいガスを充填したり、熱伝導率が小さいシリコン等のやわらかい樹脂の層を充填してもよい。透明壁４の下端部４ｂは、前記基台３の支持壁３１ｃ上面に設けた有底の透明壁支持溝Ｍ１に嵌め込んで支持させてあり、この透明壁４と基台３とによって密閉性のある展示品収容空間２を形成する。また本実施形態では、この透明壁４に吸盤１７を利用して取手１３を着脱可能に取り付けることができるようにしてある。
【００５３】
光照射部５は、図２、図６に示すように、一定幅を有した帯状の円環配線基板５１と、この基板５１上に半田付けによって取り付けた複数のＬＥＤ５２とを備えたもので、前記制御機構１６に設けた光制御部１２からの光制御駆動信号によって、ＬＥＤ５２の明るさ（光量）を調整できるように構成してある。この光照射部５は、前記透明壁支持溝Ｍ１のすぐ内側に設けた有底の光照射部支持溝Ｍ２に嵌め込んで取り付けられる。この光照射部支持溝Ｍ２の底面は内側が下になるように傾斜させてあり、この光照射部支持溝Ｍ２に嵌め込んだ各ＬＥＤ５２は、図２に示すように支持壁３１ｃの上面より下方に完全に埋没し、なおかつその光軸が上やや向きとなるように設置されることとなる。さらに、光照射部５が観者から見えにくくするために、支持壁３１ｃにおける透明壁４の外側の部分が、光照射部支持溝Ｍ２の開口部分の高さに比べてもりあがっている。また、ＬＥＤ５２から発生した熱は、シリコン等の放熱部材３１４を通して前記フィン３１３によって熱を放熱される。なお、配線基板５１は、図６に示すように平面状態では切り欠きを有する部分円環状をなすフレキシブルなもので、ＬＥＤ５２をこの平面状態にある配線基板５１に取着し、その後、この配線基板５１の切り欠き辺５３同士を近接又は接続することで、前記光照射部支持溝Ｍ２の底面に沿って傾斜させるようにしている。
【００５４】
反射部６は、図７、図８に示すように、その一つ一つが非常に小さくしかもミクロンオーダーの極めて薄いものであり、互いの間に微細な隙間Ｓが形成されるように、前記透明壁４の内面４ａの略全面に亘って例えば０コンマ数ミリオーダのランダムなピッチ（もちろん等ピッチでもよいし、例えば光照射部５から離れるにつれ、ピッチが小さくなるように設定してもよい）で縦横に並べ設けてある。各反射部６は、平面視少なくともその一部が互いに形状の異なる雲形状等の異形状のもの（もちろん円形状等でもよい）で、展示品収容空間２側に配した、光を乱反射する反射層６１と、その反射層６１の反展示品収容空間側の面を覆うとともに透明壁４の下面４ａに直接貼り付けられた光遮断吸収層６２とを備えた複数層構造をなす。なお、図７は模式図であり、反射部６の厚みや大きさを誇張して表現してある。
【００５５】
反射層６１は、光拡散部材である粒子状の反射フィラ（図示しない）を含有させた例えば白色の顔料で形成したもので、展示品収容空間２側に露出する面である反射面で主として光を反射する。この反射層６１は非常に薄いため若干の光透過性を有するが、内部に侵入した光の一部は前記反射フィラで拡散させて反射する。一方、光遮断吸収層６２は、酸化クロム（ＣｒＯ２）等のつや消し黒色系（例えば茶色や灰色等）素材を用いて形成したもので、この実施形態では、内方からの光の反射率をより向上させる理由から、酸化クロム層６２１の内側表面に鏡面状をなすクロム層６２２をさらに設けた構成にし、前記反射層６１内に侵入した光をもこのクロム層６２２の表面で反射するようにしている。
【００５６】
これら反射部６は、例えば図９〜図１１に示すような方法で形成している。まず透明壁４の内面４ａを酸化クロム層６２１及びクロム層６２２によりこの順で被覆し、さらにそのクロム層６２２の表面をフォトポリマーＰＰにより覆う。次に前記隙間Ｓを形成する部位にレーザ光を照射し、その部位のフォトポリマーＰＰを除去する。そしてレーザ光照射によりフォトポリマーＰＰが除かれて露出したクロム層６２２及び酸化クロム層６２１をエッチングにより除去する。その後フォトポリマーＰＰを取り除くことによって、まず光遮断吸収層６２のみを形成する。最後に、図示しないが、それら光遮断吸収層６２の表面に、印刷技術等を利用して前記反射層６１を形成するための顔料を塗布することにより反射部６を形成する。なお、印刷等のズレが多少生じても、これを許容するために、この実施形態では反射層６１を光遮断吸収層６２よりも若干小さくしている。
【００５７】
このように構成した本実施形態に係る展示ケースによれば、ＬＥＤ５２から発せられた光は、その一部が反射部６で内方に反射散乱し、展示品収容空間２内の展示品１に照射されることとなる。
【００５８】
しかしてこのように構成した本展示ケースによれば、反射部６が非常に微細なものでしかも隙間を有して配置されているために、前記反射散乱光で照明されている展示品収容空間２内の展示品１を、それら反射部６に邪魔されることなく、直上も含む３６０°全方位から透明壁４を介して見ることができる。
【００５９】
しかもこのとき、反射部６が展示ケースの外側からの光を反射したり内側からの光を透過拡散したりするものであると、当該反射部６がきらきらと光ったり白っぽく見えたりして鑑賞の邪魔になり得るが、前記反射部６に設けた光遮断吸収層６２がそのような現象を防止するため、わかりやすく言えば、例えば夜に外から網戸越しに明るい部屋の中をきれいに見ることができるのと同様に、照明されている展示品１を外側から鮮明に視認することができる。
【００６０】
また、基台３の上方には透明壁４のみが載置されているため、外観がシンプルで展示品１のイメージを損なうこともない。さらに、支持壁３１ｃにおける透明壁４の外側がもりあがっていること及び光照射部５が光照射部支持溝Ｍ２に嵌め込まれていることから、周囲から展示品１に光が照射されているにも拘わらず、一見してはその光源がわからないため、観者に不思議で幻想的な感覚を与えることができる。
【００６１】
特に本展示ケースは、光照射部５、温度調節機構９、湿度調節機構１０、給水機構１５、ファン１４等によって内部環境を自動管理できるため、季節等に関係なく屋内で植物を育成できる。したがって、例えばレストランやホテル等の室内で、植物を収容した本展示ケースを机上又は床上に置いたり、壁に掛けるなどして、従来にない全く新しいインテリアを創出することができるようになり、用途が大きく広がる。
【００６２】
さらに、ファン１４による風により、内部の植物１が揺らぐため、自然の雰囲気をかもし出すことができ、揺らぐ植物１とそれに照射させる光とにより、観者に「いやし」を与えることができるようにもなる。
【００６３】
又、前記透明壁４が半球ドーム状であるため、ＬＥＤ５２からの直接光が反射部６にあたって反射されるだけでなく、図７に示すように透明壁４の内側で１乃至複数回反射された光も反射部６によって反射することができるので、光の損失を少なくすることができ、さらには展示されている植物１を充分に照明することができる。
【００６４】
次に前記反射部６の変形例を挙げる。この変形例で前記実施形態に対応する部材には同一の符号を付している。
【００６５】
この反射部６は、前記第１実施形態に比して、更に小さく薄いもので、およそ５０ｕｍの径と０．１〜０．２ｕｍの厚みを有する。なお、前実施形態同様に雲形状等のものでもよいのはもちろんである。
【００６６】
具体的にこのものは透明壁４の内面４ａに直接貼り付けられた中間層６３と、その中間層６３の表面及び側面を覆い光を乱反射する反射層６１とを備えた層構造をなす。
【００６７】
反射層６１は例えばニッケル（Ｎｉ）やクロム（Ｃｒ）などの金属で形成したもので、その表面には荒れた状態とすることで複数の凹凸を設けてあり、主として光を拡散させて反射する。一方、中間層６３は導電性の薄膜であるＩＴＯ膜であり、金属をその表面にメッキ等により被覆できる性質を有する。
【００６８】
これらの反射部６は、例えば以下に示すように、透明壁４に貼り付ける。
【００６９】
まず、図１２に示すように透明壁４の内面４ａにスパッタリングや蒸着等の方法でＩＴＯ膜を被着することで中間層６３を形成し、更にその中間層６３の表面をフォトポリマーＰＰにより覆う。次に図１３に示すように前記隙間Ｓを形成する部位にレーザ光等を照射し、その部位のフォトポリマーＰＰを除去する。そして図１４に示すようにフォトポリマーＰＰが除かれて露出した中間層６３をエッチングにより除去し、その後フォトポリマーＰＰを取り除くことによって、円盤状の中間層６３のみを形成する。その後図１５に示すようにこれら透明壁４の下面４ａにメッキを行う。このときメッキはガラスには付着せず、中間層６３のＩＴＯ膜のみに付着することから、中間層６３の表面及び側面にのみ前記反射層６１としてニッケル（Ｎｉ）又はクロム（Ｃｒ）等の金属の層が形成され、反射部６が生成されることとなる。又、このときＩＴＯ膜が無く透明壁４の露出した部分には金属の層は形成されず反射部６間の隙間Ｓとなる。
【００７０】
従ってこのようなものであれば、前記透明壁４の下面４ａを一様にメッキするだけで、エッチング後に残留した中間層６３をなすＩＴＯ膜の表面及び側面のみにズレなく高い精度で前記反射層６１が形成できるだけでなく、更に前記第１実施形態のように、反射層６１を印刷技術を用いて形成する方法で要するような位置合わせ操作も不要となることから省力化にもなる。
【００７１】
また、図１６に示すように、透明壁４に貼り付けた反射部６の反射面を樹脂等を素材とした透明膜Ｆで覆うようにしてもよい。ここでは、透明膜Ｆは反射部６のみならず、透明壁４の内面４ａをも覆うようにしているが、もちろん反射面のみを覆うようにしても構わない。このようなものであれば、同図に示すように、この透明膜Ｆに光が入射する際に屈折し、透明膜が無いものと比べ、反射部６の表面に対してより垂直に近い角度で光があたるため、反射の際の拡散作用が増大することになる。またこの透明膜Ｆは反射部６の保護作用をも営むものとなる。
【００７２】
さらにこのような反射部６は、透明壁４の外面４ｅ（図２参照）に設けても構わないし、透明壁４の内部、すなわち外壁４１の内面や内壁４２の外面に設けてもよい。
【００７３】
その他、本展示ケースの形状も前記実施形態に限られるものではなく、例えば直方体や円筒状をなすものであってもよい。
【００７４】
＜第２実施形態＞
【００７５】
以下に図面を参照して第２実施形態を説明する。なお、前記第１実施形態に対応する部材には同一の符号を付している。
【００７６】
本実施形態に係る展示ケースは、基台３及び透明壁４の基本構成は前記第１実施形態とほぼ同様であるが、図１７、図１８に要部を示すように光照射部５の配置位置と反射部６の構成が第１実施形態と異なる。
【００７７】
光照射部５は、透明壁４の下端面４ｃに臨むように、或いはそのＬＥＤ５２が透明壁４の下端部４ｂに埋め込まれて配置してあり、透明壁４の内部に光を導入して、外気との屈折率差を利用して透明壁４の外面４ｅ及び内面４ａで光を透明壁４内に全反射させつつ、透明壁４の内部を上方に進行させるように構成してある。
【００７８】
反射部６は、前記実施形態と同様に、その一つ一つが非常に小さくしかもミクロンオーダーの極めて薄いものであり、互いの間に微細な隙間Ｓが形成されるように前記透明壁４の外面４ｅに、略全面に亘って例えば０コンマ数ミリのオーダーでランダムなピッチ（もちろん等ピッチでもよい）で縦横に並べて設けてある。各反射部６は、平面視少なくともその一部が互いに形状の異なる雲形状のもの（もちろん円形状等でもよい）で、透明壁４の外面４ｅに直接貼り付けられた光を乱反射する反射層６１とその反射層６１の反展示物収容空間側側の面を覆う光遮断吸収層６２とを備えた層構造をなす。なお、図１８は模式図であり、反射部６の厚みや大きさは誇張して表現してある。
【００７９】
このようなものであれば、光照射部５から出た光は、透明壁４の内部に導かれて上方に進行した後、反射部６にあたって下方に反射散乱し、展示品１に照射される。しかして、反射部６は非常に細かいため、展示品１の視認性を阻害することなく、前記第一実施形態同様の効果を奏し得る。またＬＥＤ５２からでた光のほとんど全てを反射できるため、効率を向上させることができる。
【００８０】
＜第３実施形態＞
【００８１】
以下に図面を参照して第３実施形態を説明する。なお、前記第１実施形態に対応する部材には同一の符号を付している。
【００８２】
本実施形態に係る展示ケースは、基台３及び透明壁４の基本構成は前記第１実施形態と、光照射部５は第２実施形態とほぼ同様であるが、図１９、図２０に要部を示すように反射部６の構成が第１実施形態及び第２実施形態と異なる。
【００８３】
反射部６は、例えば透明壁４の頂上近傍における内部に厚み方向に亘って設けられた水平に周回する細い帯状の反射板６４であり、反射面６４１が下方を向くように配置してある。反射面６４１は荒く仕上げて散乱面にしてもよい。この反射面６４は、図２１に示すように、例えば透明壁４を上部４３及び下部４４の２つに分割して、その上部４３の切断面４３１又は下部４４の切断面４４１を蒸着面とすることによって形成する。なお、反射部６は、反射板のような板状のものでも良い。
【００８４】
このようなものであれば、光照射部５からでた光は、透明壁４の内部に導かれて上方に進行した後、反射板６４にあたって下方に反射散乱し、展示品１に照射される。しかして、反射部６は非常に細いため、展示品１の視認性を阻害することなく、前記第１実施形態同様の効果を奏し得る。またＬＥＤ５２からでた光のほとんど全てを反射できるため、効率を向上させることができる。
【００８５】
＜第４実施形態＞
【００８６】
以下に図面を参照して第４実施形態を説明する。なお、前記第１実施形態に対応する部材には同一の符号を付している。
【００８７】
本実施形態に係る展示ケースは、基台３及び透明壁４の基本構成は前記第１実施形態とほぼ同様であるが、図２２、図２３に模式的に要部を示すように光照射部５の配置位置が異なり、また反射部４に代えて透明壁４の内部、外面又は内面に配置した光ファイバ７を設けている。
【００８８】
光ファイバ７は、透明壁４に沿って１又は複数本が配置してあり、その両端面７１は透明壁４の下端近傍に位置させている。そして、光照射部５を構成するＬＥＤ５２を、その光ファイバ７の各端面７１に臨ませて配置している。また各光ファイバ７の側周面には間欠的に展示品を向く切欠部８を設け、その切欠部８から漏れ出る光が展示品１に照射されるように構成している。切欠部８の間隔は、ＬＥＤ５２から遠ざかるほど、すなわち光ファイバ７の中間部ほど密にし、端部ほど疎にしてある。漏れ出る光の強度は、ＬＥＤ５２に近いほど強いため、切欠部８の間隔を調整して光ファイバ７の側周面から略均一に光が出るようにするためである。もちろん、等間隔でも構わない。
【００８９】
このようなものであれば、光ファイバ７の各端から内部に導入された光は、各切欠部８で展示品１の方に漏れ出てこれを周囲から照射することになる。しかして光ファイバ７は細くしかも透明であるため、このような構成でもやはり展示品１の視認性を阻害することなく、前記第１実施形態同様の作用効果を奏し得る。
【００９０】
＜その他の変形実施態様＞
【００９１】
なお、本発明前記各実施形態に限られるものではない。
【００９２】
例えば光照射部はＬＥＤを用いたものに限られない。時間や季節、植物の種類等によって光照射部から射出される光の色や光量を自動制御するようにしてもよい。
【００９３】
また、植物育成展示に用いるだけでなく、単に置物や彫刻を展示する展示ケースとして用いても構わない。内部に展示する展示品の種類によっては温度調節機構や湿度調節機構等が無いものでもよい。
【００９４】
透明壁は単層構造でも良いし、三層以上でも構わない。またその形状は半球ドーム状に限らず、直方体や四角すい型でもよい。
【００９５】
さらに、ＬＥＤは高効率で消費電力を抑制できることから、この展示ケースを電池内蔵にし、外部での配線を不要にしてもよい。このようにすれば、設置自由度や外観がより向上する。
【００９６】
加えて、図２４に概略機能部ブロック図を示すように、前記光制御回路１６４を以下の様な構成、すなわち、音楽やお経、あるいは鳥のさえずりや波、風の音などの音声を示す音声信号を受け付ける音声信号受付部１６４１と、音声信号受付部１６４１で受け付けた音声信号或いは予め入力された音声信号を格納している音声信号格納部１６４２と、音声信号格納部１６４２又は音声信号受付部１６４１から音声信号を取得し、その音声信号の示す音声の音量、音色、音程の少なくとも一つに合わせて前記ＬＥＤから発される光の発光パターンを制御するパターン制御部１６４３とを備えたものにしても構わない。
【００９７】
この例における音声信号受付部１６４１は、例えば、図示しない音声入力端子を備え、その音声入力端子とマイクやＣＤプレーヤあるいはビデオデッキ等の音声出力端子とをケーブルで接続することにより、ユーザの好みの音楽等をデジタル又はアナログの音声信号として受け付けることができるものである。
【００９８】
音声信号格納部１６４２は、揮発性又は不揮発性のメモリの所定領域に設定したのものである。メモリは着脱可能な携帯型（ＦＤＤやＣＤ等）であってもよい。
【００９９】
パターン制御部１６４３は、図２５に示すように、例えば音声信号の音量振動波形に応じて、ＬＥＤに一定電圧のパルス信号を与えつつそのデューティ比を変化させ、ＬＥＤの発光パターンすなわち光量を変化させるものである。もちろん、図２６に示すように、デューティ比を一定にして、音声信号の音量振動波形に追随するようにパルスの高さ（電圧）を変え光量を変化させてもよい。
【０１００】
このようなものであれば、ランダムでありながら自然のイメージで光が揺らぎ、木漏れ日をイメージさせるような独特の景観を観者に印象づけることが可能になる。また音声信号の内容によっては、植物育成の促進や、観者へのリラクゼーション効果を得ることも可能になる。
【０１０１】
音声信号としては、その他に音色、音程を示すものでも構わないし、発光パターンとしては光量以外に発光色を変化させるようにしたものも考えられる。
【０１０２】
また、音声信号受付部に変えて光信号受付部を設けるとともに、光センサ等で検出したり、あるいは画像データから抽出するなどして得た、木漏れ日や波のきらめきなどの自然な光の揺らぎを示す光揺らぎ信号を前記光信号受付部で受け付けるようにし、パターン制御回路において、前記光の揺らぎと同様に前記ＬＥＤから発される光を揺らがせるようにしても構わない。
【０１０３】
要は自然界で自然に発生し人間が５感で感じることのできる揺らぎを電気的な信号である揺らぎ信号に変換する揺らぎ信号変換回路と、その揺らぎ信号の示す揺らぎに合わせて前記ＬＥＤから発される光の光量又は色の少なくとも１つが変化するように発光パターンを制御するパターン制御回路とを備えているものであればよい。
【０１０４】
さらに反射部は、図２７に示すように網目状にしてもよいし、図２８に示すように、透明壁４の内外面にそれぞれ反射層６１と光遮断層６２とを厚み方向に離間させて設けるようにしてもよい。
【０１０５】
＜第５実施形態＞
【０１０６】
以下に図面を参照して第５実施形態を説明する。なお、前記第１実施形態に対応する部材には同一の符号を付している。
【０１０７】
本実施形態に係る展示ケースは、基台３の基本構成は前記第１実施形態とほぼ同様であるが、反射部６の機能を兼ね備える光照射部１７が透明壁４と一体化している点で異なる。
【０１０８】
具体的には、前記展示ケースは、図２９、３０に示すように、透明壁４と、その透明壁４の一方の面に貼り設けた複数（多数）の有機ＥＬ素子１８と、透明壁４の基台側に配置され、前記有機ＥＬ素子１８に電流を供給する図示しない電源部とを備えている。
【０１０９】
有機ＥＬ素子１８は、その端面図を模式的に図３０に示すように、発光層１８１が二つの電極層１８２、１８３の間に挟まれたサンドイッチ構造をなすもので、電極層１８２、１８３間に電圧が付与されて発光層１８１に電流が供給されると、自発的に発光する。なお、透明壁４は前述のとおり実際には半球状をなすものであり、有機ＥＬ素子１８もそれに沿う形で曲面状となっているが、図３０においては拡大しているのでそれぞれ直線状であるように便宜的に示している。
【０１１０】
ここでは、展示品収容空間側の電極層１８２（アノード）には、例えばＩＴＯ等の透明素材を用い、反展示品収容空間側の電極層１８３（カソード）には、非透明な金属板を用いている。この非透明電極層１８３（カソード）における展示品収容空間側の面（発光層側の面１８３ａ）は、光を反射させるために鏡面にしてあり、反展示品収容空間側の面１８３ｂは、光の反射散乱を防止するために、光を遮蔽又は吸収する黒色つや消しメッキ等が施されている。
【０１１１】
発光層１８１には、例えばポリフェニレンビニレン(PPV(poly(phenylene vinylene))を用いているが、低分子のもの等でも構わない。また、この発光層１８１の表裏には、図３０のように、直接電極層１８２、１８３が貼り付けてあるが、正孔輸送層、電子輸送層を介して電極層１８２、１８３が貼り付けた構成などでもよい。
【０１１２】
この有機ＥＬ素子１８の全体としての厚みは、数百ｎｍ以下と非常に薄く、個々の大きさ（厚み方向と直交する方向の大きさ）も数十μｍ以下と非常に小さい。
【０１１３】
そしてこの実施形態では、この有機ＥＬ素子１８を、図２９に示すように、平面視、互いの間に隙間Ｓを有して多数並び設けた構造としている。
【０１１４】
より具体的には、図２９に示すように、隣り合う有機ＥＬ素子１８の電極層１８２同士、１８３同士、及び、発光層１８１同士を接続し、発光層も含む有機ＥＬ素子１８全体としての電極層１８２、１８３、及び、発光層１８１が四角格子状などの網状をなすように構成している。
【０１１５】
次に、このように構成した光照射部１７の作用を以下に説明する。
【０１１６】
電力を供給すると、各有機ＥＬ素子１８から展示品１に向かって光が照射される。より具体的には発光層１８１で発生した光は、直接又は非透明電極層１８３で反射して、透明電極層１８２に向かい、この透明電極層１８２を通過して展示品１に照射される。そしてこの光で、展示品１は一様に照明される。
【０１１７】
一方、有機ＥＬ素子１８は微細であるために、網戸を介して明るい部屋の中を見ることができるように、この有機ＥＬ素子１８が展示品１を見るのに邪魔にはなることはない。特にこの実施形態では、有機ＥＬ素子１８の反展示品側の面１５３ｂを、光の反射散乱を抑制する光遮蔽面にしているため、この有機ＥＬ素子１５での反射光が展示品１を見るのに邪魔になることもない。
【０１１８】
したがって、このように構成した本実施形態に係る光照射部によれば、均等な密度で配設した各有機ＥＬ素子１８がそれぞれ自発的に発光するため、均一で照度ムラのない照明を行うことができる。
【０１１９】
さらに、この光照射部１７は、透明壁４の一方の面４ａに非常に薄い有機ＥＬ素子１８が貼り付けられただけの構成であり、透明壁４そのものとほぼ同じ大きさにすることができることから、従来のものに比べて、さらなるコンパクト化と軽量化を大きく促進できる。
【０１２０】
また有機ＥＬ素子１８は、大パターン化も比較的容易にできるため、大きな発光面積を有した光照射装置も作成可能である。さらに、個々の有機ＥＬ素子１８を非常に微細化することもできるので、干渉縞（モアレ）を抑制することもできる。
【０１２１】
なお、各ＥＬ素子は網状であれば四角格子状でも三角格子状等でもよいし、ドットマトリクス状に不連続に設けても構わない。
【０１２２】
また、ＥＬ素子の電極層のみが網状をなしており、発光層が例えば網状の交点部分のみにあるような離散配置となっていてもよい。
【０１２３】
さらに、透明壁の反展示品収容空間側の面にＥＬ素子を貼り設けてもよいし、透明壁の厚み内にＥＬ素子を埋め込んで配設しても構わない。
【０１２４】
加えて、ＥＬ素子は単色のみならず、カラー３原色の構成として、種々の色合いで展示品を照明できるようにしてもよい。
【０１２５】
その他、前述した各実施形態や変形実施形態の一部又は全部を適宜組み合わせてよいのは言うまでもないし、本発明は前記各実施形態に限られず、その趣旨を逸脱しない範囲で種々の変形が可能である。
【図面の簡単な説明】
【０１２６】
【図１】本発明の一実施形態における展示ケースの斜視図。
【図２】本発明の一実施形態における展示ケースの内部構造を示す中央縦正端面図。
【図３】同実施形態における制御機構のハードウェア構成を示すハードウェア構成図。
【図４】同実施形態における制御機構の制御回路と制御対象との関係を示す機能ブロック図。
【図５】同実施形態における制御機構のパネル面の模式的構成図。
【図６】同実施形態における光照射部の組立前の平面状態での構成図。
【図７】同実施形態における反射部を主として示す部分拡大端面図。
【図８】同実施形態における反射部を主として示す部分拡大平面図。
【図９】同実施形態における反射部の製作手順を示す手順説明図。
【図１０】同実施形態における反射部の製作手順を示す手順説明図。
【図１１】同実施形態における反射部の製作手順を示す手順説明図。
【図１２】同実施形態の変形例における反射部の製作手順を示す手順説明図。
【図１３】同変形例における反射部の製作手順を示す手順説明図。
【図１４】同変形例における反射部の製作手順を示す手順説明図。
【図１５】同変形例における反射部を主として示す拡大図。
【図１６】同実施形態のさらに他の変形例における反射部を示す部分断面図。
【図１７】第２実施形態における光反射部、透明壁及び反射部を主として示す断面図。
【図１８】同実施形態における反射部を主として示す部分拡大端面図。
【図１９】第３実施形態における光照射部、透明壁及び反射部を主として示す断面図。
【図２０】同実施形態における光照射部、透明壁及び反射部を主として示す模式的斜視図。
【図２１】同実施形態における透明壁を２つに分割した様子を示す模式的斜視図。
【図２２】第４実施形態における光照射部、透明壁及び光ファイバを主として示す断面図。
【図２３】同実施形態における光照射部、透明壁及び光ファイバを主として示す模式的斜視図。
【図２４】本発明の他の実施形態における光制御回路の機能ブロック図。
【図２５】同実施形態における発光パターンの制御例を示す例示図。
【図２６】同実施形態における発光パターンの他の制御例例示図。
【図２７】本発明のさらに他の実施形態における反射部を主として示す部分拡大平面図。
【図２８】本発明のさらに他の実施形態における反射部を主として示す部分拡大断面図。
【図２９】第５実施形態における光照射部１７を主として示す部分拡大平面図。
【図３０】図２９におけるＡ−Ａ線部分端面図。
【符号の説明】
【０１２７】
１・・・展示品（植物）
２・・・展示品収容空間
３・・・基台
３２・・・植物載置台
４・・・透明壁
５・・・光照射部
５２・・・ＬＥＤ
６・・・反射部
６１・・・反射層
６２・・・光遮断吸収層
７・・・光ファイバ
８・・・切欠部
９・・・温度調節機構
１０・・・湿度調節機構
１２・・・光制御部
１３・・・取手
１７・・・第５実施形態における光照射部
１８・・・有機ＥＬ素子
【図１】
2006167439.tif 000003
【図２】
2006167439.tif 000004
【図３】
2006167439.tif 000005
【図４】
2006167439.tif 000006
【図５】
2006167439.tif 000007
【図６】
2006167439.tif 000008
【図７】
2006167439.tif 000009
【図８】
2006167439.tif 000010
【図９】
2006167439.tif 000011
【図１０】
2006167439.tif 000012
【図１１】
2006167439.tif 000013
【図１２】
2006167439.tif 000014
【図１３】
2006167439.tif 000015
【図１４】
2006167439.tif 000016
【図１５】
2006167439.tif 000017
【図１６】
2006167439.tif 000018
【図１７】
2006167439.tif 000019
【図１８】
2006167439.tif 000020
【図１９】
2006167439.tif 000021
【図２０】
2006167439.tif 000022
【図２１】
2006167439.tif 000023
【図２２】
2006167439.tif 000024
【図２３】
2006167439.tif 000025
【図２４】
2006167439.tif 000026
【図２５】
2006167439.tif 000027
【図２６】
2006167439.tif 000028
【図２７】
2006167439.tif 000029
【図２８】
2006167439.tif 000030
【図２９】
2006167439.tif 000031
【図３０】
2006167439.tif 000032